(57)【要約】      （修正有）【課題】回転軸方向に過度に長くすることなく、回転刃物のぶれを抑制することができる骨切除用リーマを提供する。【解決手段】骨切除用リーマ１Ａは、内側に窪んだ円弧面を形成するように骨を削ることが可能なリーマである。当該骨切除用リーマ１Ａは、先端に回転刃物１１が設けられた主軸１２と、回転刃物１１の先端から主軸１２と同軸となるように突出する支持軸１３ａと、回転刃物１１を跨いで支持軸１３と主軸１２とに回動自在に連結されたコ字状部２５と、を備える。【選択図】図１
0003151444.tif 000002
【実用新案登録請求の範囲】
【請求項１】
先端に回転刃物が設けられた主軸と、
前記回転刃物の先端から前記主軸と同軸となるように突出する支持軸と、
前記回転刃物を跨いで前記支持軸と前記主軸とに回動自在に連結された保持部と、
を備える骨切除用リーマ。
【請求項２】
前記主軸に、円筒状のスリーブが回動自在に設けられている
請求項１に記載の骨切除用リーマ。
【請求項３】
前記保持部と前記スリーブとが一体的に形成されている
請求項１又は２に記載の骨切除用リーマ。
【請求項４】
前記保持部と前記主軸とは金属製であって、
前記保持部と前記主軸との間に、樹脂製の接触部を備える
請求項１〜３のいずれか一項に記載の骨切除用リーマ。
【請求項５】
前記保持部の、前記回転刃物を径方向から覆う部分における、前記回転刃物に対向する面とは逆側の面に凹部が形成されている
請求項１〜４のいずれか一項に記載の骨切除用リーマ。
【請求項６】
前記保持部は、回転軸方向から見て、回転時に前記回転刃物が通過する最も外側の円軌道の直径以下の幅になるように形成されている
請求項１〜５のいずれか一項に記載の骨切除用リーマ。
【考案の詳細な説明】
【技術分野】
【０００１】
本考案は、内側に窪んだ円弧面を形成するように骨を削ることが可能な骨切除用リーマに関する。
【背景技術】
【０００２】
従来、内側に窪んだ円弧面を形成するように骨を削ることが可能な骨切除用リーマとして、非特許文献１、非特許文献２などに記載のものが知られている。この骨切除用リーマは、人工肘関節を埋め込むための手術に用いられるものである。
ここで、人工肘関節は、尺骨に固定される尺骨コンポーネントと上腕骨に固定される上腕骨コンポーネントとからなる。当該尺骨コンポーネントは、外側に凸となる円弧面状に形成された面を尺骨の関節面に当接させた状態で、当該尺骨に固定される。そのため、尺骨の関節面は、骨切除用リーマによって、内側に窪んだ円弧面を形成するように削られる。
【０００３】
図８（ａ）に示すように、非特許文献１に記載の骨切除用リーマ１１０は、先端に回転刃物１１１が設けられた軸１１２をパワーツール（図示せず）で回転させつつ、当該軸１１２の基端のみをパワーツールを介して支持しながら関節面の骨切除を行うものである。
また、図８（ｂ）に示すように、非特許文献２に記載の骨切除用リーマ１２０は、回転刃物１２１の両側に軸１２２,１２３が延出するように構成されており、回転刃物１２１の一側に位置する軸１２２の延出方向端部にパワーツール（図示せず）が連結され、回転刃物１２１の他側に位置する軸１２３の延出方向端部に、当該軸１２３を回転可能に支持するグリップ１２４が設けられている。これにより回転刃物１２１の両側を支持しつつ関節面の骨切除を行うことができる。
【先行技術文献】
【非特許文献】
【０００４】
【非特許文献１】バイオメット・ジャパン株式会社、「Ｋ−エルボー  手術手技書」、p.7
【非特許文献２】ナカシマプロペラ株式会社、「K-NOW Total Elbow System 手術手順書」、p.3
【考案の概要】
【考案が解決しようとする課題】
【０００５】
しかしながら、図８（ａ）に示す骨切除用リーマ１１０では、回転刃物１１１を片持ちで支持する構成であるので、回転刃物１１１に力を入れづらく、回転刃物１１１を骨に強く押し付けることが難しい。また、回転刃物１１１と当該回転刃物１１１を支持する部分との距離が長くなると、回転刃物１１１がぶれ易くなってしまう。
【０００６】
図８（ｂ）に示す骨切除用リーマ１２０では、回転刃物１２１を両側で支持できるため、回転刃物１２１に力を入れ易くなるものの、回転刃物１２１の両側から軸１２２,１２３が延びる構成であるため、回転刃物１２１の両側に広いスペースがなければ使用することができない。
【０００７】
本考案は、上記実情に鑑みることにより、回転軸方向に過度に長くすることなく、回転刃物のぶれを抑制することができる骨切除用リーマを提供することを目的とする。
【課題を解決するための手段】
【０００８】
本考案に係る骨切除用リーマにおける第１の特徴は、先端に回転刃物が設けられた主軸と、前記回転刃物の先端から前記主軸と同軸となるように突出する支持軸と、前記回転刃物を跨いで前記支持軸と前記主軸とに回動自在に連結された保持部と、を備えることである。
【０００９】
この構成によると、保持部を用いて回転刃物を、回転軸方向における両側で支持しながら、骨を切除することができる。これにより、回転刃物のぶれを抑制することができる。
また、支持軸は、保持部を回動自在に連結できる程度に突出させればよく、骨切除用リーマの回転軸方向における長さが過度に長くなることを抑制することができる。
【００１０】
また、本考案に係る骨切除用リーマにおける第２の特徴は、前記主軸に、円筒状のスリーブが回動自在に設けられていることである。
【００１１】
この構成によると、スリーブの外周を握って、主軸を回動自在に支持しながら骨を切除することができる。これにより、主軸における回転刃物に近い位置を支持することができるので、主軸の先端の回転刃物のぶれをより確実に抑制することができる。
【００１２】
また、本考案に係る骨切除用リーマにおける第３の特徴は、前記保持部と前記スリーブとが一体的に形成されていることである。
【００１３】
この構成によると、保持部が、スリーブに対して相対的に移動することが防止される。これにより、骨切除用リーマの操作が容易になる。
【００１４】
また、本考案に係る骨切除用リーマにおける第４の特徴は、前記保持部と前記主軸とは金属製であって、前記保持部と前記主軸との間に、樹脂製の接触部を備えることである。
【００１５】
この構成によると、骨切除用リーマの剛性を確保しつつ、接触部により、保持部と主軸との金属接触を防ぐことができる。これにより、保持部及び主軸の磨耗を防ぎ、金属磨耗粉の発生を抑制することができる。
【００１６】
また、本考案に係る骨切除用リーマにおける第５の特徴は、前記保持部の、前記回転刃物を径方向から覆う部分における、前記回転刃物に対向する面とは逆側の面に凹部が形成されていることである。
【００１７】
この構成によると、凹部を指で付勢する場合、指が滑りにくくなる。これにより、骨切除用リーマの操作が容易になる。
【００１８】
また、本考案に係る骨切除用リーマにおける第６の特徴は、前記保持部は、回転軸方向から見て、回転時に前記回転刃物が通過する最も外側の円軌道の直径以下の幅になるように形成されていることである。
【００１９】
この構成によると、回転刃物による骨切断時において、保持部が骨と干渉することを抑制することができる。
【考案の効果】
【００２０】
本考案によると、骨切除用リーマを回転軸方向に過度に長くすることなく、回転刃物のぶれを抑制することができる。
【図面の簡単な説明】
【００２１】
【図１】第１実施形態の骨切除用リーマを示す斜視図。
【図２】図１に示す骨切除用リーマの分解図。
【図３】図１に示す骨切除用リーマの側面図及び先端側から見た図。
【図４】図１に示す骨切除用リーマの使用状態を示す図。
【図５】第１実施形態の骨切除用リーマの変形例を示す側面図及び先端側から見た図。
【図６】第２実施形態の骨切除用リーマを示す側面図、先端側から見た図、及びＸ−Ｘ断面矢視図。
【図７】第２実施形態の骨切除用リーマの変形例を示す側面図及び先端側から見た図。
【図８】従来の骨切除用リーマを示す斜視図。
【考案を実施するための形態】
【００２２】
以下、本考案を実施するための形態について図面を参照しつつ説明する。
【００２３】
（第１実施形態）
図１〜４に示すように、本考案の第１実施形態に係る骨切除用リーマ１Ａは、人工肘関節を埋め込むための手術に用いられるものである。具体的には、骨切除用リーマ１Ａは、人工肘関節の尺骨コンポーネントを固定するときの、当該尺骨コンポーネントとの当接面となる円弧状の面を尺骨に形成するために用いられる。
【００２４】
＜骨切除用リーマ１Ａの全体構成＞
この骨切除用リーマ１Ａは、回転刃物１１と、当該回転刃物１１が先端に設けられた主軸１２と、回転刃物１１の先端に設けられた支持部１３と、回転刃物１１を跨いで主軸１２と支持部１３とに連結されたコ字状部２５を有する保持機構２０とを備えている。
【００２５】
＜リーマ本体の構成＞
回転刃物１１は、円柱状に形成され、側面に複数の刃が形成されている。
主軸１２は、その基端（回転刃物１１とは逆側に位置する端部）にパワーツールとの係合部１２ａが形成されている。当該係合部１２ａにパワーツールを接続して、主軸１２の先端に設けられた回転刃物１１を回転させることが可能である。
また、主軸１２は、係合部１２ａの近傍の直径よりも小さい直径となるように形成された縮径軸部１２ｂを有している（図２参照）。当該縮径軸部１２ｂは、軸方向において、回転刃物１１と連続する位置から段部１２ｃまで延びている。
【００２６】
図２に示すように、縮径軸部１２ｂには、ポリエチレン等の樹脂で形成された円筒部材１４が嵌め込まれる。当該円筒部材１４は、内径が、縮径軸部１２ｂの外径と略等しくなるように形成されている。
円筒部材１４は、円筒軸方向と平行に、円筒軸方向の全域に亘って連続する切れ目１４ａが形成されており、円筒内側から円筒径方向外側に向かう力を加えることで、弾性的に拡径させることができる。
円筒部材１４の内径は、係合部１２ａ近傍の主軸１２の外径よりも小さいが、上記のように弾性的に拡径させることで、当該円筒部材１４に主軸１２を挿入し、当該円筒部材１４を縮径軸部１２ｂに嵌め込むことが可能である。
【００２７】
支持部１３は、主軸１２の軸方向における回転刃物１１の先端から主軸１２と同軸となるように突出する支持軸１３ａと、当該支持軸１３の先端に設けられ当該支持軸１３ａよりも拡径したフランジ部１３ｂとを有して構成される。
これらの回転刃物１１、主軸１２、及び支持部１３は、例えば、ＳＵＳなどの金属により、一体的に形成されている。
【００２８】
＜リーマ本体の保持機構の構成＞
保持機構２０は、第１部材２１と、第２部材２２と、第１リング２３と、第２リング２４とを備える。尚、第１部材２１及び第２部材２２は、例えば、ＳＵＳなどの金属により形成されている。また、第１リング２３及び第２リング２４は、例えば、ポリエチレン等の樹脂により形成することができるが、材質はこれに限定されない。
【００２９】
◆第１部材２１の構成
第１部材２１は、回転刃物１１を跨ぐように配置されるコ字状部２５と、当該コ字状部２５が先端に設けられた半円筒部２６とが、一体的に形成されている。
【００３０】
コ字状部２５は、半円筒部２６に連続するとともに当該半円筒部２６の円筒軸方向と垂直に設けられた板状の第１板部２５ａと、当該第１板部２５ａに連続して前記円筒軸方向と平行に延びる板状の第２板部２５ｂと、第２板部２５ｂに連続して第１板部２５ａに対向するように当該第１板部２５ａと平行に延びる第３板部２５ｃとを有して側面視コの字状に形成されている。
【００３１】
第１板部２５ａには、半円筒部２６の穴と同軸、同径となるように形成された円弧状の切り欠きを有している。
【００３２】
第２板部２５ｂは、コ字状部２５の外側を向く面（第１板部２５ａと第３板部２５ｃとで挟まれた空間に対向する面とは逆側の面）に、凹部αが形成されている。当該凹部αの底面は、前記円筒軸方向において滑らかに湾曲している。
【００３３】
第３板部２５ｃは、延出方向の端部から所定の幅で第２板部２５ｂ側に向かって延びるスリットｓ１が形成されている。即ち、第３板部２５ｃの延出方向の先端は二股に分かれている。また、第３板部２５ｃには、当該スリットｓ１の中間部を通過するように、当該スリットｓ１の幅よりも大きな直径で開口する軸穴ｈ１が形成されている。
尚、スリットｓ１は、支持軸１３ａの直径よりも短い幅で延びており、軸穴ｈ１は、支持軸１３ａの直径よりも大きい直径を有するように形成されている。
【００３４】
また、図３に示すように、コ字状部２５は、円筒軸方向から見て、第１板部２５ａ及び第３板部２５ｃが第２板部２５ｂから延出する方向と垂直な方向における幅（図３においてＷで示す）が、回転刃物１１の直径（図３において２Ｒで示す）と同等になるように形成されている。
【００３５】
また、本実施形態においては、回転軸方向における第１板部２５ａと第３板部２５ｃとの間隔は、回転刃物１１の回転軸方向における長さの１．５倍よりも短い。
【００３６】
半円筒部２６には、コ字状部２５と連続する側の端部とは逆側の端部近傍に、コ字状部２５と連続する側の外径に比べて、外径が小さくなるように形成された縮径部２６ａが設けられている（図２参照）。
【００３７】
◆第２部材２２の構成
第２部材２２は、第１部材２１の半円筒部２６と同じ長さの半円筒状の部材からなる。当該第２部材２２は、第１部材２１の半円筒部２６と組み合わせることにより円筒（以下、「組み合わせ円筒２２・２６」という）を形成する。当該第２部材２２の一端には、他端側に比べて外径が小さくなるように形成された縮径部２２ａが設けられている。当該縮径部２２ａの円筒軸方向における長さは、第１部材２１の縮径部２６ａと同じ長さとなるように形成されている。
【００３８】
尚、第１部材２１の半円筒部２６と第２部材２２とは、両方を組み合わせて形成される円筒の内径が、円筒部材１４の外径よりも大きく、且つ、主軸１２の係合部１２ａ近傍部の外径（即ち、段部１２ｃの外径）よりも小さくなるように形成される。
【００３９】
＜骨切除用リーマ１Ａの組み立て方法＞
まず、主軸１２の縮径軸部１２ｂに円筒部材１４が嵌め込まれる。
そして、主軸１２に嵌め込まれた円筒部材１４を径方向両側から挟みこむように、第１部材２１と第２部材２２とが組み合わされる。尚、組み合わせ円筒２２・２６内において、当該組み合わせ円筒２２・２６に対して円筒部材１４が回転可能であるとともに、円筒部材１４内において、当該円筒部材１４に対して主軸１２が回転可能である。
【００４０】
第１部材２１と第２部材２２とで主軸１２を挟み込むときは、第３板部２５ｃのスリットｓ１の端部を支持軸１３ａに押し付けて、当該スリットｓ１を弾性的に開きながら、支持軸１３ａを軸穴ｈ１に落とし込む。これにより、コ字状部２５の第３板部２５ｃは、支持軸１３ａに対して回動自在に固定される。
【００４１】
第１部材２１と第２部材２２とを組み合わせた状態で、円筒状の第１リング２３及び第２リング２４が組み合わせ円筒２２・２６の外周に嵌め込まれる。
即ち、第１リング２３は、コ字状部２５の近傍における当該組み合わせ円筒２２・２６の外径と略同じ内径となるように形成されており、第１板部２５ａに当接する位置まで押し込まれる。一方、第２リング２４は、縮径部２２ａ及び縮径部２６ａからなる円筒状部分の外径と略同じ内径となるように形成されており、当該縮径部２２ａ及び当該縮径部２６ａからなる円筒状部分に嵌め込まれる。
これにより、保持機構２０が、回転刃物１１を跨いで支持軸１３ａと主軸１２とに回動自在に連結される。
【００４２】
＜骨切除用リーマ１Ａの使用状態＞
図４に示すように、骨切除用リーマ１Ａは、主軸１２をパワーツール（図示せず）で回転させながら、組み合わせ円筒２２・２６を手で握りつつ、例えば、親指でコ字状部２５の凹部αを付勢して、回転刃物１１を尺骨１００の関節面１００ａに押し付ける。これにより、尺骨１００の間接面１００ａを所定の形状に切除することができる。
【００４３】
＜第１実施形態の効果＞
（１）
以上説明したように、第１実施形態に係る骨切除用リーマ１Ａは、先端に回転刃物１１が設けられた主軸１２と、回転刃物１１の先端から主軸１２と同軸となるように突出する支持軸１３ａと、回転刃物１１を跨いで支持軸１３ａと主軸１２とに回動自在に連結されたコ字状部２５（保持部）と、を備える。
【００４４】
この構成によると、コ字状部２５を用いて回転刃物１１を回転軸方向における両側で支持しながら、骨を切除することができる。これにより、回転刃物１１のぶれを抑制することができる。
また、コ字状部２５により、回転刃物１１に近い位置に力を加えることができるので、回転刃物１１のぶれをより確実に抑制することができる。
また、支持軸１３ａは、コ字状部２５の第３板部２５ｃを回動自在に嵌め込むことができる程度に回転刃物１１から突出させればよく、骨切除用リーマ１Ａの回転軸方向における長さが過度に長くなることを抑制することができる。
また、回転刃物１１の刃がコ字状部２５に覆われているので、刃に手が当たって怪我をすることを防止できる。
【００４５】
また、支持軸１３ａの先端にはフランジ部１３ｂが設けられているので、コ字状部２５の先端側への移動が当該フランジ部１３ｂで拘束される。これにより、保持機構２０が過度に先端側に移動することが防止される。尚、保持機構２０の主軸１２基端側（係合部１２ａ側）への移動は、段部１２ｃで拘束される。
【００４６】
（２）
骨切除用リーマ１Ａにおける主軸１２には、半円筒部２６と第２部材２２とからなる組み合わせ円筒２２・２６（スリーブ）が回動自在に設けられている。
【００４７】
この構成によると、組み合わせ円筒２２・２６の外周を握って、主軸１２を回動自在に支持しながら骨を切除することができる。これにより、主軸１２における回転刃物１１に近い位置を支持することができるので、主軸１２の先端の回転刃物１１のぶれをより確実に抑制することができる。
【００４８】
（３）
骨切除用リーマ１Ａにおいて、回転刃物１１を跨いで支持軸１３ａと主軸１２とに回動自在に連結されたコ字状部２５と、組み合わせ円筒２２・２６を構成する半円筒部２６と、は一体的に形成されている。
【００４９】
この構成によると、コ字状部２５が、組み合わせ円筒２２・２６に対して相対的に移動することが防止される。これにより、骨切除用リーマ１Ａの操作が容易になる。
【００５０】
（４）
骨切除用リーマ１Ａは、組み合わせ円筒２２・２６と、主軸１２との間に、ポリエチレン製の円筒部材１４（接触部）を備える。尚、主軸１２及び組み合わせ円筒２２・２６は、ＳＵＳ等の金属により構成されている。
【００５１】
この構成によると、骨切除用リーマ１Ａの剛性を確保しつつ、組み合わせ円筒２２・２６と主軸１２との金属接触を防ぐことができる。これにより、組み合わせ円筒２２・２６及び主軸１２の磨耗を防ぎ、金属磨耗粉の発生を抑制することができる。
また、円筒部材１４として耐磨耗性を有するポリエチレンを用いた場合、円筒部材１４の寿命が長くなるため、より効果的である。
尚、円筒部材１４は、ポリエチレンに限らず、ＰＥＥＫ、テフロン（登録商標）などの他の樹脂で構成することもできる。
【００５２】
また、第３板部２５ｃの軸穴ｈ１内周と、支持軸１３ａ外周との間にポリエチレン等の樹脂製の接触部を設けてもよい。これにより、支持軸１３ａと第３板部２５ｃとの間の金属接触による磨耗を防ぐことができる。
【００５３】
（５）
骨切除用リーマ１Ａにおいては、回転刃物１１を径方向から覆う第２部材２２における、回転刃物１１に対向する面とは逆側の面に凹部αが形成されている。
【００５４】
この構成によると、凹部αを指で付勢する際に、指が滑りにくくなる。これにより、骨切除用リーマ１Ａの操作が容易になる。
【００５５】
（６）
骨切除用リーマ１Ａにおいて、コ字状部２５は、所定の直径を有する円柱状に形成された回転刃物１１の回転軸方向から見て、回転刃物１１の前記所定の直径と同じ幅になるように形成されている。つまり、コ字状部２５の幅（図３においてＷで示す）は、回転軸方向から見て、回転時に回転刃物１１が通過する最も外側の円軌道の直径（図３において２Ｒで示す）と同じである。尚、コ字状部２５の幅Ｗは、回転刃物１１の回転軸方向から見たときに、コ字状部２５を介して主軸１２を付勢する付勢方向に対して直交する方向における幅である。
【００５６】
この構成によると、回転刃物１１による骨切除時において、コ字状部２５が骨と干渉することを抑制することができる。
尚、回転時に回転刃物１１が通過する最も外側の円軌道の直径２Ｒよりもコ字状部２５の幅Ｗを小さく構成してもよい。
【００５７】
＜第１実施形態の変形例＞
骨切除用リーマ１Ａは、図５において骨切除用リーマ１Ａ’として示すように、変形して実施することができる。
即ち、コ字状部２５の第２板部２５ｂにおける凹部αが形成された面に、Ｕ字状部材２５ｄを設けてもよい。Ｕ字状部材２５ｄは、当該面とともに主軸１２と平行に貫通する穴を形成する。そして、Ｕ字状部材２５ｄは、当該面を付勢する指が当該面から離れる方向に移動することを規制し、当該指が当該面に沿って幅方向にずれることを規制する。尚、当該Ｕ字状部材２５ｄは、第２板部２５ｂと一体的に設けてもよいし、別部材として取り付けてもよい。
【００５８】
この構成によると、Ｕ字状部材２５ｄと第２板部２５ｂとで形成される穴に指を入れて、主軸１２の先端の回転刃物１１を容易に操作することができる。
【００５９】
（第２実施形態）
図６に、本考案の第２実施形態に係る骨切除用リーマ１Ｂを示す。尚、この骨切除用リーマ１Ｂは、回転刃物１１、主軸１２、支持部１３、円筒部材１４の構成については、第１実施形態に係る骨切除用リーマ１Ａと同様であるため説明は省略する。
【００６０】
骨切除用リーマ１Ｂにおけるコ字状部３５は、第１実施形態に係る骨切除用リーマ１Ａのコ字状部２５と略同様の形状であるが、当該コ字状部３５には第１実施形態に係る半円筒部２６が連結されていない。また、図６におけるＸ−Ｘ断面矢視図に示すように、コ字状部３５における第１板部３５ａの端部は第３板部３５ｃと同じように、スリットｓ２及び軸穴ｈ２により二股に分かれており、主軸１２を軸穴ｈ２に回動可能に嵌め込むことができる。
【００６１】
この構成によると、円筒部材１４（スリーブ）を手で握りつつ、例えば、親指でコ字状部３５の凹部αを付勢して、骨を所定の形状に切除することができる。
【００６２】
＜第２実施形態の変形例＞
骨切除用リーマ１Ｂは、図７に骨切除用リーマ１Ｂ’として示すように、変形して実施することができる。即ち、円筒部材１４を取り除くとともに、主軸１２’をパワーツールと連結可能な程度に短く構成してもよい。
【００６３】
この構成によると、円筒部材１４を用いずに構成できるため、簡単な構成となり、製造コストを削減することができる。尚、主軸１２’を短く形成することで、パワーツールで支持される部分が回転刃物１１に近くなるため、円筒部材１４（スリーブ）がないことで、回転刃物１１の支持が不安定になることを抑制できる。
【００６４】
以上、本考案の実施形態について説明したが、本考案は上述の実施の形態に限られるものではなく、実用新案登録請求の範囲に記載した限りにおいて様々に変更して実施することができるものである。
【産業上の利用可能性】
【００６５】
本考案は、手術において骨を切除するために利用することができる。
【符号の説明】
【００６６】
１Ａ、１Ａ’、１Ｂ、１Ｂ’  骨切除用リーマ
１１  回転刃物
１２  主軸
１３  支持部
１３ａ  支持軸
２０  保持機構
２１  第１部材
２２  第２部材
２３  第１リング
２４  第２リング
２５  コ字状部（保持部）
【図１】
0003151444.tif 000003
【図２】
0003151444.tif 000004
【図３】
0003151444.tif 000005
【図４】
0003151444.tif 000006
【図５】
0003151444.tif 000007
【図６】
0003151444.tif 000008
【図７】
0003151444.tif 000009
【図８】
0003151444.tif 000010
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
先端に回転刃物が設けられた主軸と、
前記回転刃物の先端から前記主軸と同軸となるように突出する支持軸と、
前記回転刃物を跨いで前記支持軸と前記主軸とに回動自在に連結された保持部と、
を備える骨切除用リーマ。
【請求項２】
前記主軸に、円筒状のスリーブが回動自在に設けられている
請求項１に記載の骨切除用リーマ。
【請求項３】
前記保持部と前記スリーブとが一体的に形成されている
請求項２に記載の骨切除用リーマ。
【請求項４】
前記保持部と前記主軸とは金属製であって、
前記保持部と前記主軸との間に、樹脂製の接触部を備える
請求項１〜３のいずれか一項に記載の骨切除用リーマ。
【請求項５】
前記保持部の、前記回転刃物を径方向から覆う部分における、前記回転刃物に対向する面とは逆側の面に凹部が形成されている
請求項１〜４のいずれか一項に記載の骨切除用リーマ。
【請求項６】
前記保持部は、回転軸方向から見て、回転時に前記回転刃物が通過する最も外側の円軌道の直径以下の幅になるように形成されている
請求項１〜５のいずれか一項に記載の骨切除用リーマ。 
【手続補正２】
【補正対象書類名】明細書
【補正対象項目名】００５１
【補正方法】変更
【補正の内容】
【００５１】
この構成によると、骨切除用リーマ１Ａの剛性を確保しつつ、組み合わせ円筒２２・２６と主軸１２との金属接触を防ぐことができる。これにより、組み合わせ円筒２２・２６及び主軸１２の磨耗を防ぎ、金属磨耗粉の発生を抑制することができる。
また、円筒部材１４として耐磨耗性を有するポリエチレンを用いた場合、円筒部材１４の寿命が長くなるため、より効果的である。
尚、円筒部材１４は、ポリエチレンに限らず、ＰＥＥＫ（登録商標）、テフロン（登録商標）などの他の樹脂で構成することもできる。